(57)【要約】あらゆるタイプの自動車のために企図されるワイパー水システムは、自動車上に落ちる洗車水又は雨水を集積水として集積するための水集積機器（１）と、集積された水をフィルタリングし、精製するための手段（４）と、ワイパー洗浄容器（５）と、集積された水をワイパー洗浄容器（５）に送るための供給ライン（２）と、自動車フロントガラスを洗浄するための不凍液とワイパー洗浄水との混合物を外気温に応じて作り出すための手段（８、９、１０、１１、１２、１３、１４）と、を備えて成る。
2009516616.tif 000002
【特許請求の範囲】
【請求項１】
あらゆるタイプの自動車のためのワイパー水システムであって、
−自動車上に落ちる洗車水又は雨水を集積水として集積するための水集積機器（１）と、
−集積水をフィルタリングし、精製するための手段（４）と、
−ワイパー洗浄容器（５）と、
−ワイパー洗浄容器（５）に集積水を送り出すための供給ライン（２）と、
−自動車フロントガラスを洗浄するための不凍液及びワイパー洗浄水の混合物を外気温に応じて作り出すための手段（８、９、１０、１１、１２、１３、１４）と、
を備えて成るワイパー水システム。
【請求項２】
バルブ（３）が供給ライン（２）を閉じるために設けられることを特徴とする請求項１に記載のワイパー水システム。
【請求項３】
バルブ（３）が閉じられたときに、水を周囲環境に排水するための排水手段が設けられることを特徴とする請求項２に記載のワイパー水システム。
【請求項４】
水集積機器（１）が集積水を粗くフィルタリングするために単段又は多段プロセスで構成されることを特徴とする請求項１に記載のワイパー水システム。
【請求項５】
水流れ方向に次第に減少するサイズの孔を備えたふるいが粗いフィルタリングの先行プロセスのために設けられることを特徴とする請求項４に記載のワイパー水システム。
【請求項６】
さらなるフィルター又はさらなるフィルター要素（４）が、集積水を微細にフィルタリングするために、及び、化学的に精製するために、だけでなく集積水から沈殿物を分離するためにも設けられることを特徴とする請求項１〜５のいずれか一項に記載のワイパー水システム。
【請求項７】
水流れ方向に次第に減少するサイズの孔を備えた複数のフィルター要素と、フィルター要素間の沈殿物チャンバとが、微細なフィルタリングのために設けられることを特徴とする請求項６に記載のワイパー水システム。
【請求項８】
単段又は多段混床脱塩器が、集積水から無機物及び塩を取り除くために設けられることを特徴とする請求項６に記載のワイパー水システム。
【請求項９】
混床脱塩器が、イオン交換器、特にカチオン及びアニオン交換器であることを特徴とする請求項８に記載のワイパー水システム。
【請求項１０】
単段又は多段ワックス吸収器が、集積水から液状ワックスを取り除くために設けられることを特徴とする請求項６に記載のワイパー水システム。
【請求項１１】
ワックス吸収器が、微細なろ過紙、クロマトグラフィー紙又はフリースを含むことを特徴とする請求項１０に記載のワイパー水システム。
【請求項１２】
ワイパー洗浄容器（５）に接続される個別の不凍液容器（６）が、不凍液と特に界面活性剤とを受容するために設けられ、且つ、不凍液と界面活性剤とを不凍液容器（６）からワイパー洗浄容器（５）内の水に加えることが可能であることを特徴とする請求項１〜１１のいずれか一項に記載のワイパー水システム。
【請求項１３】
温度、不凍液容器（９）における液面、及び、ワイパー洗浄容器（５）における液面に応じて、所定の又は予め定めることのできる供与量で、不凍液及び界面活性剤をワイパー洗浄容器（５）内の水に混合するための手段が設けられることを特徴とする請求項１２に記載のワイパー水システム。
【請求項１４】
制御電子機器（１２）と不凍液センサー（８）とが、ワイパー洗浄容器（５）における水と不凍液との混合比を検出するために、したがって水と不凍液との混合物の凝固点を検出するために設けられることを特徴とする請求項１３に記載のワイパー水システム。
【請求項１５】
キャン−バスインターフェイス（１３）に接続される制御電子機器（１２）が、自動車のキャン−バスに伝達される外気温信号（１４）を用いて外気温を検出するために設けられることを特徴とする請求項１３に記載のワイパー水システム。
【請求項１６】
供給ライン（２）を閉じるためのバルブ（３）を制御する制御電子機器（１２）と、混合ポンプ（１１）と、不凍液容器（６）における液面を検出するためのセンサー（９）とが設けられ、要求された場合に混合ポンプ（１１）を作動するための制御電子機器（１２）が、外気温（１４）と不凍液容器（６）における液面とに応じて、全ての操作条件下で霜にも強いアルコールと水との所定の又は予め定めることのできる混合比をワイパー洗浄容器（５）で調整することができるように構成されていることを特徴とする請求項２及び請求項１３に記載のワイパー水システム。
【請求項１７】
不凍液センサー（８）が、ワイパー洗浄容器（５）における混合物の電導度及び密度を用いて、ワイパー洗浄容器（５）における混合物での不凍液容量を検出するように構成されることを特徴とする請求項１４に記載のワイパー水システム。
【請求項１８】
不凍液センサー（８）が、ワイパー洗浄容器（５）における混合物の混合比とやはり変化する抵抗とに応じて変化する誘導体を備えて成り、不凍液センサー（８）は、抵抗変化を可変周波数に変換するＲＣ発振器（２９）に接続され、制御電子機器（１２）は、前記可変周波数を検出するように構成されることを特徴とする請求項１４に記載のワイパー水システム。
【請求項１９】
不凍液の濃度と、ワイパー洗浄容器（５）における混合物の関連する霜耐性とを計算することが可能なように、不凍液センサー（８）の特性が線形近似のために制御電子機器（１２）に格納されることを特徴とする請求項１４に記載のワイパー水システム。
【請求項２０】
制御電子機器（１２）が、自動車のキャン−バスに伝達される外気温信号（１４）を用いて決定された外気温を、ワイパー洗浄容器（５）における混合物の凝固点温度と比較するように構成されることを特徴とする請求項１４及び請求項１５に記載のワイパー水システム。
【請求項２１】
不凍液センサー（８）が、静電容量可変部（２０、２１）と抵抗可変部（２２）とを備えて成ることを特徴とする請求項１４に記載のワイパー水システム。
【請求項２２】
静電容量可変部が、誘導体として、ガラス繊維タイプの織物（２１）を含むことを特徴とする請求項２１に記載のワイパー水システム。
【請求項２３】
制御電子機器（１２）が、外気温が落ちたときに混合ポンプ（１１）を作動させるように構成され、その結果、不凍液容器（６）からワイパー洗浄容器（５）にさらに不凍液を供給することが可能であることを特徴とする請求項１６に記載のワイパー水システム。
【発明の詳細な説明】
【技術分野】
【０００１】
本発明は、あらゆるタイプの自動車のためのワイパー水システムに関する。
【背景技術】
【０００２】
【特許文献１】DE19912294A1
【特許文献２】DE19922535A1
【特許文献３】DE3734130A1
【０００３】
今日、自動車で用いられている従来型のワイパー水システムは、大部分が、スプレーポンプを備えた容器だけから成る。容器には、水及び不凍液／洗浄液を手動で充填しなければならない。スプレーポンプは、洗浄されるべきフロントガラス上に混合物をスプレーする。
【０００４】
自動車産業で現在用いられいるシステムの欠点は、
−不凍液の供与量が低すぎて溶液の凝固点に達しないときに、ワイパー洗浄混合物が凍ってしまう。
−自動車が最初に組立てられるときに、国や時期乃至時節に関わりなく不凍液混合物の最大濃度がワイパー洗浄容器に充填される。再充填するときに、自動車修理工場は、水、不凍液及び洗浄添加剤の高く濃縮された混合物を使用する。春と秋との間では、この慣習が非常に非経済的であり且つ非環境的でもあることが知られている。
−アルコール蒸気の吸入は、強烈に不快な臭いと健康被害とをもたらす。ワイパー水は、高濃度の不凍液を含み、混合物がフロントガラスにスプレーされ、空調を通って自動車の内部に入るときにエチルアルコールが揮発する。
−再充填の間の間隔が天候にもよるが概して短すぎる。
ことである。
【０００５】
特許文献１から知られているように、容器へのワイパー水の再充填間における短い間隔の欠点は、自動車上に落ちる水を部分的に集積すること、及び、それをワイパー洗浄容器に供給することによって減少されうる。
【０００６】
冬には、無機物（凍結防止塩）がフロントガラスから戻された水と共に集積容器に洗い流され、それによって、洗浄剤使用の間に、フロントガラス上のスミア乃至油性汚れ（smears）及び染み（smudges）の原因となって、洗浄プロセスを大きく妨げるか又は洗浄プロセスを不可能にする。この問題の解決法が、特許文献２に開示される。集積容器に流れ込む水は、イオン交換装置を用いて単段プロセスで精製される。
【０００７】
洗車における現行の慣習では、洗浄プログラムの最終段階中に、自動車に塗布されるべき液状ワックスが提供される。水がワイパー水集積容器に戻って通過するときに、前記液状ワックスもまた前記容器に集積される。自動車フロントガラスへの洗浄液として水を用いるときに、水内のワックスはスミアの原因となり、洗浄プロセスを妨げ、洗浄プロセスを不可能にする。
【０００８】
ワイパー洗浄不凍液混合物が凍ることを回避するために、特許文献３は、実行可能な技術的実施形態を開示する。密度測定機器の助けを借りて、外気温に応じた不凍液と水との正確な混合比を達成することができる。集積容器における不凍液測定の電気機械的実現は、８０年代終わりにおける技術的可能性に対応する。技術的に欠点のない機能は明らかである。しかしながら、密度測定を備えたコスト効果の高い換算はほとんど不可能である。実際には、この種の技術的な解決法は、以前は確立されることが全くなかった。
【０００９】
故に、自動車フロントガラスを洗浄するために雨水を再利用することは既に知られている。この思想の一連の実現は、２つの理由のために自動車産業において以前は行われなかった。一つは、最も重要な市場のヨーロッパ、米国、日本で一年中満足に機能し、もう一つは、実用にかなった費用便益比率で作り出すことのできる完全なシステムが現行では存在しない。
【発明の開示】
【発明が解決しようとする課題】
【００１０】
本発明の目的は、自動車又は別のフロントガラス洗浄システムにおいて、従来型のワイパー水集積機器又はワイパー水システムを改良することである。
【課題を解決するための手段】
【００１１】
この目的を達成するために、請求項１の特徴に対応するワイパー水システムが開示される。本発明にしたがうワイパー水システムの有利な実施形態は、請求項１に従属する請求項の特徴から明らかになろう。
【００１２】
本発明にしたがうワイパー洗浄システムは、あらゆるタイプの自動車のためのワイパー水集積機器から成り、当該集積機器において、集積された水がフィルターをかけられ、精製され、自動車フロントガラスの洗浄のための不凍液とワイパー洗浄水との混合物が外気温に応じて作り出される。
【００１３】
本発明は、とりわけ、ワックス吸収乃至吸着器と、脱塩器と、不凍液の濃度を測定するための電気センサーとを備えた多段フィルタリングに基づく。故に、機能的で且つ経済的にもっともな技術的解決法を、全ての気候条件化で達成できることが保証される。
【００１４】
本発明にしたがって設けられるワイパー洗浄容器は、少なくとも部分的に自動的に再充填されるので、追加的に要求される、考えられうる手動再充填間の間隔が増加する。理想的には、手動の再充填は完全に省略される。
【００１５】
本発明にしたがうワイパー水システムの代わりの、又は、特に有利な実施形態が以下に開示される。
【００１６】
本発明は、あらゆるタイプの自動車のためのワイパー水集積機器に関し、当該ワイパー水集積機器は、自動車フロントガラスを洗浄するために、集積水をフィルタリングして精製し、外気温に応じてワイパー洗浄水と不凍液との混合物を製造し、自動車上に落ちた雨水又は洗浄水は、水集積機器によって集積され、自動車が停止しているか動いているかにかかわらず、供給ラインを介してワイパー洗浄容器に供給される。
【００１７】
バルブは供給ラインを閉じうる。
【００１８】
バルブが閉じられる場合、水は周囲環境に流れ出す。
【００１９】
この水は、単段又は多段プロセスにおいて集積タンクで最初に粗くフィルタをかけられる。
【００２０】
粗いフィルタリングは、次第に減少するサイズの孔を含むふるい乃至こし器（sieves）で達成される。
【００２１】
この水は、さらなるフィルター又はフィルター要素によって細かくフィルタをかけられ、且つ、化学的に精製される。沈殿物は分離される。
【００２２】
細かいフィルタリングは、次第に減少するサイズの孔を含むフィルター要素で達成され、沈殿物空間がフィルターこし器の間に設けられる。
【００２３】
無機物と塩とが混床脱塩器を介して単段又は多段で前記水から取り除かれる。
【００２４】
混床脱塩器は、カチオン及びアニオン交換器としても知られるイオン交換器である。
【００２５】
液状ワックスは、ワックス吸収器を介して単段又は多段で前記水から取り除かれる。
【００２６】
ワックス吸収器は、微細なろ過紙、クロマトグラフィ紙（chromatography paper）、及び／又は、フリース（fleece）から成る。
【００２７】
精製された水は、ワイパー洗浄容器に至る。
【００２８】
個別の不凍液容器からの界面活性剤及び不凍液は、ワイパー洗浄容器で水に加えられる。２つの容器は接続される。
【００２９】
温度に応じて、及び、不凍液容器とワイパー洗浄容器とにおける液面に応じて、不凍液と界面活性剤とが正確な供与量で前記水に加えられる。
【００３０】
制御回路が、不凍液センサーを介して、ワイパー水集積容器における水と不凍液との混合比、故に、混合物の凝固点を検出する。
【００３１】
制御回路は、キャン−バス（CAN-Bus）インターフェイスを通じて外気温信号を介し外気温を検出する。
【００３２】
制御回路は、水の流入のためにバルブを制御し、不凍液容器における、センサーで検出される液面と外気温とに応じて要求される場合に混合ポンプを作動し、あらゆる操作条件下で霜にも耐性の有るワイパー洗浄容器内の水とアルコールとの正確な混合比を作り出すことができる。
【００３３】
容器におけるワイパー水の不凍液容量は、アルコール−水混合物の電導率と密度とを介して不凍液センサーによって測定される。
【００３４】
不凍液と水との混合比に応じて、センサーにおける誘電性と抵抗とは変化する。この変化は、接続されたＲＣ発振器を用いて、制御機器（マイクロプロセッサ）によって測定される可変周波数（出力Ｑ）に変換される。
【００３５】
制御機器において、センサーの特性線が線形近似のために格納され、容器内のワイパー洗浄混合物の関連する霜耐性と不凍液濃度とを計算することができる。
【００３６】
外気温は、制御機器からの自動車のキャン−バス信号を介して、ワイパー洗浄容器内の液体の凝固点温度と比較される。
【００３７】
不凍液センサーは、図２に示されるように構成され、静電容量可変部（capacitively varying part）と抵抗可変部（resistance varying part）とから成る。
【００３８】
不凍液センサーの静電容量可変部において、ガラス繊維織物が誘導体として用いられる。
【００３９】
外気温が下がったときに、混合ポンプは制御機器によって作動され、不凍液容器からワイパー洗浄容器にさらに不凍液を供給する。
【発明を実施するための最良の形態】
【００４０】
本発明の更なる特徴、長所及び詳細が、図面を参照して、実施形態の以下の記述に開示される。
【００４１】
図１は、自動ワイパー洗浄システム（automatic wiper-wash system （AWW system））の全体配置を示す。前記システムは、図１に示されるように、以下のパーツ、自動車に落ちる雨水を集積する集積タンク１と、ワイパー洗浄容器５への供給配管２と、流入を閉じることのできるバルブ３と、多段フィルターユニット４（フィルター、水処理器及び脱脂器乃至ワックス吸収器）と、不凍液／界面活性剤混合物のための不凍液容器６と、スプレーポンプ７と、追加的な液面機能を有するワイパー洗浄容器５における水及びアルコールの濃度を測定するための不凍液センサー８と、不凍液容器６における不凍液／界面活性剤混合物のための液面センサー９と、不凍液容器６から混合ポンプ１１を介してワイパー洗浄容器５へ延在するホース接続部１０と、制御電子回路１２と、キャン−バスインターフェイス１３と、外気温信号を伝達するための自動車のキャン−バス１４と、ワイパー洗浄容器５からスプレーノズルへ延在するホース１５とを備えて成る。
【００４２】
図２においてより詳細に示される不凍液センサー８は、少なくとも以下のパーツ、２つの金属ポールフランジ（metal pole flange）２０と、誘電体２１と、抵抗層２２と、電気接続部２３と、絶縁層２４と、コンデンサ端子への接続部２５と、コンデンサと抵抗層２２との間の中央端子２６と、抵抗層２２への接続部２７と、で構成される。参照番号２８は、穿孔されたポールフランジ２０の平面図を示す。
【００４３】
図３に示される測定回路／ＲＣ発振器は、以下のパーツ、動作線図の形態で示される不凍液センサー３０と発振器構成要素２９とを有する。
【００４４】
図４に記載のフィルターユニットは、フィルター／水処理システムとして構成されるコンパクトな装置である。フィルターユニットは、以下のパーツ、汚染された水のための水入口４０と、３段階でのフィルター要素４１と、沈殿物チャンバ４２と、ワックスフィルター４３と、脱塩装置４４と、精製された水のための水出口４５と、を備えて成る。
【００４５】
図１を参照してより詳細に以下で記述されるように、本発明にしたがうシステムは、少なくとも２つの容器を有する。それらの一方は、従来の市販の不凍液を格納し、当該不凍液を洗浄剤と部分的に混合することができる。他方の容器は、洗浄水を格納し、当該洗浄水はフロントガラスを洗浄するために外気温に応じて混合される。車の上に落ちた水は、集積され、複数の段階でフィルタをかけられ、精製されて、自動車洗浄システムでさらに用いられるために処理される。かくして、ワイパー水が手動で補充されなければならない頻度は、大いに低減される。
【００４６】
水が自動車のワイパー洗浄容器５に到達する前に、水は、集積タンク１に集積され、粗くフィルタをかけられ、一つ以上の洗浄段階４にさらされる。
【００４７】
バルブ３は、自動車のワイパー洗浄容器５における液面に応じて、精製されるべき水の流れを制御する。線形の液面センサー８がワイパー洗浄容器５内の液面を検出する。ワイパー洗浄容器５において基準液面に達した場合、供給バルブ３は閉じられ、後の集積された水は、外部に排水される。
【００４８】
マイナス温度で、別の線形液面センサー９が不凍液容器に不凍液が無いことを検知した場合、供給バルブ３はまた閉じられる。これにより、容器５に存在する不凍液と水との混合物の希釈が妨げられ、ワイパー水が凍ることが回避される。
【００４９】
補充される飲料水は、塩と無機物とを含む。また、冬においては、自動車フロントガラスから凍結防止塩がワイパー水集積機器１を介して洗浄水に達する。この塩は、洗浄プロセスの間に自動車フロントガラスに再び塗布され、その洗浄プロセスの間にフロントガラス上のスミアの原因になり、かくして、使用適性及び顧客の支持乃至承認に不利益である。
【００５０】
本発明にしたがって、この使用制限は、特に、水が単段又は多段混床脱塩を用いて化学的に精製される点で改善される。混床脱塩器４の効率及び精製能力は、特定の時間の後、又は、特定の無機物処理量の後に減少する。
【００５１】
洗車からの水は、洗浄プログラムの最終段階で洗浄ワックスと混合される。このワックスは、洗車作業の間にフリース布で手によって自動車フロントガラスから取り除かれる。ワックスを含む水がワイパー洗浄容器５に到達する場合、ワックスは洗浄液がスプレーされるときに何度となく塗りつけられるので、これは、その洗浄プロセスの間に自動車フロントガラス上のスミアの原因になる。
【００５２】
これは、好ましくは、水がワックス吸収装置４によって単段又は多段プロセスで洗浄される点で考慮される。ワックス吸収は、複数層に配置される微細なろ過紙及び／又は圧縮フリース（compressed fleece）によって達成される。ワックスは、変動するサイズの乳化ミセルで形成される。これら両親媒性分子（amphiphilic molecules）は、大きすぎて、ろ過紙又は圧縮フリースを通過することができない。
【００５３】
多段フィルター／ワックス除去器４は、好都合には、それがすばやく且つ低コストで交換されうるように交換可能カートリッジとして構成される。
【００５４】
ワイパー洗浄容器５は、一つ以上の別個の容器６から不凍液及び洗浄剤を供給される。自動車のキャン−バスインターフェイス１３を介して、電気制御ユニット１２は、現在の外気温１４について情報を得る。この外気温を考慮して、ワイパー洗浄容器５におけるワイパー水での不凍液の温度適合混合物を達成するように、不凍液の濃度がセンサー８で測定される。センサー８の信号は、制御ユニット１２によって検出される。所定のパラメーターにしたがって、これは、不凍液をワイパー洗浄容器５に投入する不凍液供給容器６の混合ポンプ１１を制御する。結果として、外気温（キャン−バス１４からの信号）によって指示されるのと同じ量の不凍液だけが供給される。これは、これら資源が経済的に用いられることを意味する。これは、不凍液がより少なく大気中に分散されるので、環境をも保護する。
【００５５】
ポンプ７は、ワイパー水をスプレーノズルに運ぶ。
【００５６】
不凍液センサー８は、図２及び３を参照して以下により詳細に記述される。
【００５７】
構成：不凍液センサーは、実質的に、２つの絶縁ポールフランジ２０と低抵抗誘電体２１から成り、当該低抵抗誘電体２１は、好ましくは、例えばガラス繊維織物などの吸収材料から作られる。
【００５８】
配置：誘電体２１は、２つのポールフランジ２０の間に配置される。ワイア２５が、上側ポールフランジ２０に接続され、次にＲＣ発振器２９の後部連結出力（Ｒ）に接続される。下側ポールフランジが、ＲＣ発振器２９のＣ入力（Ｃ）にワイア２６を介して接続され、且つ、当該下側ポールフランジは、センサに、特に下側ポールフランジ２０の下側に配置された左側の抵抗層２２への接続部２３をさらに有する。絶縁層２４を用いて下側ポールフランジ２０から絶縁される右側の抵抗層２２から、さらなるワイア２７がＲＣ発振器２９のＲ入力に走る。
【００５９】
動作モード：２つのポールフランジ２０は、誘電体２１と共に電気コンデンサを形成する。誘電体２１は、空気の多様なファクターであるそのεｒ値を変化し、それによって、電気容量は、不凍液（例えば、エチルアルコール）が純水又は精製水に送込まれるときに、ポールフランジ２０間のエアーよりも高くなる。加えて、純水又は純アルコールと異なる電導度が抵抗層２２を介してセンサーで検出される。抵抗及び電気容量における変化は、接続されたＲＣ発振器２９によって可変周波数の出力信号に混合比に応じて変換され、当該可変周波数をＱ出力で取り出すことが可能であり、制御機器１２（例えば、マイクロプロセッサユニット）によって測定される。線形近似のために、センサー８の特性は、不凍液の濃度とワイパー洗浄混合物の関連する耐霜性とが検出されるように、制御ユニット１２に格納される。外気温１４は、制御機器１２によって凝固点温度と比較される。外気温が低下する場合、さらなる不凍液が、混合ポンプ１１を作動させる制御機器によって供給される。
【００６０】
フィルターと水処理カートリッジとして構成されるフィルターユニットが、図４を参照して、及び、部分的に図１を参照して以下により詳細に説明される。
【００６１】
汚染された水は、パイプライン２からフィルターと水処理カートリッジとに送込まれる。集積された水は、微細なフィルター４１（第一主段階）を介して２、３又はそれ以上の副段階で精製される。このプロセスの間に、沈殿物チャンバーが不純物を受容する。フィルターハウジングは、金属又はプラスチック材料から作られたオイル及び酸耐性ハウジングから成る。
【００６２】
第二主段階において、水は、ワックス吸収装置４３を通って流れ、当該ワックス吸収装置では、洗浄プロセスの最終段階で、例えば洗車で加えられたワックスが、微細なろ過紙（例えば、クロマトグラフィー紙）及び／又は圧縮フリースを通り、ろ過して取り除かれる。
【００６３】
第三主段階において、水は、カチオン及びアニオン交換器としても知られる混床脱塩器４４を通って流れ、当該混床脱塩器によって、陽性に負荷された無機物及び陰性に負荷された酸ラジカル乃至酸基の両方が中性にされる。
【００６４】
フィルターから出た水は、完全に精製され、脱塩され、脱脂された水と称しうる。前記水は、フロントガラスを洗浄するための媒体としてさらに用いられるために、混合容器５に流れ込む。
【図面の簡単な説明】
【００６５】
【図１】集積される水の多段フィルタリングと不凍液センサーとを備えた自動車用のワイパー水システムの実施形態である。
【図２】図１に記載のワイパー水システムで用いられる不凍液センサーの実施形態である。
【図３】図１及び２に記載の不凍液センサーを評価するために用いられるスイッチである。
【図４】集積される水をフィルタにかけるために、図１に記載のワイパー水システムで用いられるフィルターユニットの実施形態である。
【符号の説明】
【００６６】
１    水集積機器
２    供給ライン
３    バルブ
４    フィルター要素
５    ワイパー洗浄容器
６    不凍液容器
８    不凍液センサー
１１  混合ポンプ
１２  制御電子機器
１３  キャン−バスインターフェイス
１４  外気温
２０  静電容量可変部
２１  静電容量可変部
２２  抵抗可変部
２９  ＲＣ発振器
【図１】
2009516616.tif 000003
【図２】
2009516616.tif 000004
【図３】
2009516616.tif 000005
【図４】
2009516616.tif 000006
【国際調査報告】
2009516616.tif 000007
2009516616.tif 000008
2009516616.tif 000009
2009516616.tif 000010
2009516616.tif 000011
2009516616.tif 000012